Podtech/llm-jp-corpus-v4-ja_patent huggingface dataset:
(57)【要約】【課題】スキー板、金具を痛めず、簡単な方法でスキー板を固定し安定したワックス掛けが出来るようにするのが目的である。従来の物は特殊な物なので値段が高い物がほとんどであるが、最近はクロスカントリー歩くスキーの普及により自分でワックス掛けをする人が増えてきた、少しでも安く提供するのが目的である。【解決手段】ネジの先端部分に吸盤を取り付け板に固定するだけの簡単な物で安定したワック掛けが出来、従来の物と比べ安く提供できるのである。【選択図】図２
2007252874.tif 000002
【特許請求の範囲】
【請求項１】
雌ネジの先端の凹の部分に吸盤を取り付け固定し、ネジの締め緩めにより高さ調整が出来る（１）
【発明の詳細な説明】
【技術分野】
【０００１】本発明は、ネジの先端に吸盤を付ける事により（１）スキーを固定し安定したワックス掛けが出来るようにしたものである。
【背景技術】
【０００２】従来は、スキーの金具部分を開閉固定しワックス掛けを行う物、スキーの前後を万力のような物で固定してワックス掛けを行う物がほとんどであった。
【発明の開示】
【発明が解決しようとする課題】
【０００３】スキーの金具部分を開閉固定した物万力で固定する物がほとんどであったが金具部分の痛みと面倒な事、万力による締め付けが難点であった。
本発明は、この課題を解消するためになされたものである。
【課題を解決するための手段】
【０００４】ネジ凹の部分に吸盤を取り付け、その上にスキーの表面を吸盤の吸引力で固定、ネジの締め緩めによって高さ調整が出来るとゆうものである。（１）
スキーの長さによりボルト穴の位置を変えるだけで長さ調整が出来るのである。
【発明の効果】
【０００５】本発明は、吸盤の上にスキー板表面を押し付けるだけで吸盤の吸引力により固定、安定したワックス掛けが出来るのである。
【実施例１】
【０００５】ネジ（１）吸盤の吸引力によりスキー表面を固定、ネジの締め緩めにより高さ調整（１）ネジの穴（２）の位置を変える事により長さ調整できる。
スキー金具の先の部分を中心部固定台（３）に固定する。
（４）のゴムによりズレを防止する。
【図面の簡単な説明】
【０００６】
【図１】本発明の斜視図
【図２】本発明の使用状態を示す図である。
【符号の説明】
【０００７】  （１）吸盤装着ネジ
（２）長さ調整の穴
（３）スキー金具の部分先の中心部固定台
（４）スキーズレ防止ゴム
【図１】
2007252874.tif 000003
【図２】
2007252874.tif 000004
(57)【要約】【課題】  長年慣れ親しんだ制服を気軽に飾ることができ、制服のリアリティを追及した卒業記念ぬいぐるみを提供する。【解決手段】  ぬいぐるみ本体１と、ぬいぐるみ本体１に着せたミニチュア制服２とからなる卒業記念ぬいぐるみであって、ミニチュア制服２は、本物の制服と同じ生地から成り、本物の制服のボタン３、ライン、プリーツ４等の特徴も忠実に再現されたものである。【選択図】図１
2007252877.tif 000002
【特許請求の範囲】
【請求項１】
ぬいぐるみ本体と、前記ぬいぐるみ本体に着せたミニチュア制服とからなる卒業記念ぬいぐるみであって、前記ミニチュア制服は、本物の制服と同じ生地から成り、本物の制服のボタン、ライン、プリーツ等の特徴も忠実に再現されたものであることを特徴とする卒業記念ぬいぐるみ。
【請求項２】
前記ぬいぐるみ本体は、前記ミニチュア制服を着せるために人間の体格の寸法比に合わせたものであることを特徴とする請求項１記載の卒業記念ぬいぐるみ。
【請求項３】
前記ぬいぐるみ本体の足裏には、卒業年を刻んだ刺繍が施されていることを特徴とする請求項１〜２記載の卒業記念ぬいぐるみ。
【請求項４】
前記ミニチュア制服のボタンは、くるみボタンであることを特徴とする請求項１〜３記載の卒業記念ぬいぐるみ。
【請求項５】
前記ミニチュア制服のスカートのプリーツ数は、本物の制服のスカートのプリーツ数と同数であることを特徴とする請求項１〜４記載の卒業記念ぬいぐるみ。
【請求項６】
前記ぬいぐるみ本体は、クマのぬいぐるみであることを特徴とする請求項１〜５記載の卒業記念ぬいぐるみ。
【発明の詳細な説明】
【技術分野】
【０００１】  母校の制服を忠実に再現したミニチュア制服を着せた、卒業記念ぬいぐるみに関する。
【背景技術】
【０００２】  一般に、高校などを卒業するにあたって、何らかの記念の品を残したいという要望は強い。特に、制服は長年慣れ親しんだものであるが、卒業すると着ることができなくなってしまうので、何らかの形で保存したいという想いは強い。ところが、制服そのものを飾るには十分なスペースが必要であり、あまり現実的でない。長年慣れ親しんだ制服を手軽に飾ることができる技術が望まれている。
また、ぬいぐるみにミニチュア服を着せることは一般に知られているが、このようなミニチュア服はぬいぐるみ用に作られた簡素なもので、本物の服を忠実に再現したものはほとんどない。制服というのは学校ごとに千差万別で、リアリティが要求される。一般に、ぬいぐるみの体格の寸法比は、人間の体格の寸法比と異なり、ぬいぐるみに着せるミニチュア服にリアリティを持たせることは難しい。
【発明が解決しようとする課題】
【０００３】  本発明の目的は、長年慣れ親しんだ制服を気軽に飾ることができ、前記制服のリアリティを追及した卒業記念ぬいぐるみを提供することである。
【課題を解決するための手段】
【０００４】  前記課題を解決するために、本発明は以下の構成となっている。
ぬいぐるみ本体と、前記ぬいぐるみ本体に着せたミニチュア制服とからなる卒業記念ぬいぐるみであって、前記ミニチュア制服は、本物の制服と同じ生地から成り、本物の制服のボタン、ライン、プリーツ等の特徴も忠実に再現されたものであることを特徴とする卒業記念ぬいぐるみ。
【０００５】  また、以下の実施態様を有する。
前記ぬいぐるみ本体は、前記ミニチュア制服を着せるために人間の体格の寸法比に合わせたものである。
前記ぬいぐるみ本体の足裏には、卒業年を刻んだ刺繍が施されている。
前記ミニチュア制服のボタンは、くるみボタンである。
前記ミニチュア制服のスカートのプリーツ数は、本物の制服のスカートのプリーツ数と同数である。
前記ぬいぐるみ本体は、クマのぬいぐるみである。
【発明の効果】
【０００６】  本発明の卒業記念ぬいぐるみは、本物を忠実に再現したミニチュア制服を着せることでリアリティを実現しており、卒業記念として最適である。前記ミニチュア制服にリアリティを持たせるために、本物の制服と同じ生地、本物の制服と同じボタン、本物の制服と同じライン、本物の制服と同数のプリーツ数のスカート、を用いている。実際に制服を製作しているメーカーがミニチュア服も製作することで、これらのリアリティを実現している。ぬいぐるみも、制服を着せるために人間の体格の寸法比に近いオリジナルのものを用いることで、よりリアリティを持たせている。
これらの構成により、リアリティの高い母校のミニチュア制服を、ぬいぐるみに着せて気軽に部屋などに飾ることができ、今までにはない特徴を有する卒業記念品を実現することができる。
【実施の形態】
【０００７】  図１及び図２を用いて本発明の実施例を説明する。図１は本発明の実施例の概略図、図２はミニチュア制服の詳細図である。ぬいぐるみ本体１と、ぬいぐるみ本体１に着せたミニチュア制服２とから成る。本実施例においては、ぬいぐるみ本体１はクマのぬいぐるみであるが、ミニチュア制服２を着せることができれば、クマ以外のぬいぐるみでも良い。ぬいぐるみ本体１は、リアルなミニチュア制服２を着せるために、人間の体格の寸法比を模したオリジナルのものである。ぬいぐるみ本体１の足裏には、卒業年を刻んだ足裏刺繍６が施されている。ミニチュア制服２は本物の制服を忠実に再現したもので、本物の制服と同じ生地から作られており、本物の制服と同じボタン３（本実施例では「くるみボタン」）、本物の制服のスカートと同数のプリーツ４（本実施例では「２８本」）、本物の制服と同じライン５（本実施例では「黄色の２本線」）、を有している。また、ミニチュア制服２のタグも本物の制服のものを再現している。これらのリアリティは、本物の制服を製作しているメーカーがミニチュア制服も製作することで実現される。
【図面の簡単な説明】
【図１】  本発明の実施例の概略図。
【図２】  ミニチュア制服の詳細図。
【符号の説明】
１    ぬいぐるみ本体
２    ミニチュア制服
３    ボタン
４    プリーツ
５    ライン
６    足裏刺繍
【図１】
2007252877.tif 000003
【図２】
2007252877.tif 000004
(57)【要約】【課題】給仕する際にしっかりと鉢の持ち運びが出来、給仕した人の指で触れた鉢のふちの一部を給仕された者が口をつけて飲食するという不都合を解決すること。【解決手段】鉢の一部に取っ手１を設けることにより、この課題を解決する。【選択図】図１
2007252873.tif 000002
【特許請求の範囲】
【請求項１】
鉢のふち２の一部分に取っ手１をつけたことを特徴とする鉢。
【発明の詳細な説明】
【技術分野】
【０００１】本発明は、鉢に関するものであり、鉢の一部に取っ手１をつけることにより、清潔に飲食をしやすくしたものである。
【背景技術】
【０００２】従来、うどん等、給仕する際に鉢を利用していた。
【発明の開示】
【発明が解決しようとする課題】
【０００３】しかし、従来のような鉢では給仕する際に鉢を持つ指が鉢の飲み口と接触して給仕せねばならないので、給仕される側にすれば、飲み口である鉢のふちと給仕した人の指がふれた鉢のふちとの境界が分からず、不潔な印象を拭い去ることはできなかった。
【課題を解決するための手段】
【０００４】この課題を解決するための請求項１の発明は、鉢の一部に取っ手１をつける。
給仕をする人はこの取っ手１に指をかけて給仕をする。給仕された人はこの取っ手１以外の鉢のふちで飲食すれば少なくとも給仕した人の指がふれた部分で口をつけて飲食することは避けることができ、清潔に飲食できる。
【発明の効果】
【０００５】本発明により、給仕した人の指でふれた鉢のふちを口をつけて飲食することはなくなり、清潔に不快感がなく飲食ができる。また、給仕する人もこの取っ手１に指をけることができ、しっかり鉢を持ち、給仕できることになる。
【発明を実施するための最良の方法】
【０００６】図１は、鉢のふち２の一部分に取っ手１を付けたことを特徴とする鉢の斜視図である。同図に示すように、取っ手１を付けることによって給仕する人は取っ手１に指を掛ける事ができ、安定して鉢の持ち運びができる。また給仕される人は、１の部分以外の鉢のふち２の部分を口につけて清潔に飲食できる。
【０００７】これら鉢の材料は、瀬戸物、プラスティックなど通常のものでよい。また取っ手１の形状は鉢の大きさに合わせて自由に設定できる。
【産業上の利用可能性】本発明に係る鉢は、工業的に量産することが可能であるため、産業上の利用可能性を有する。
【図面の簡単な説明】
【０００８】
【図１】鉢のふち２の一部に取っ手１を設けた鉢の斜視図である。
【図２】鉢のふち２の一部に取っ手１を設けた鉢の断面図である。
【図３】鉢のふち２の一部に取っ手１を設けた鉢の正面図である。
【符号の説明】
【０００９】１    取っ手
２    鉢のふち
【図１】
2007252873.tif 000003
【図２】
2007252873.tif 000004
【図３】
2007252873.tif 000005
(57)【要約】      （修正有）【課題】  打撃時に折れたり、割れたりすることが無くなり、前に飛ぶことも少なくなり、ゴルフ場を汚すことが無くなり、プレーの進行にも、多いに貢献できて快適なプレーができるゴルフ用ティーを提供する。【解決手段】支柱部分（１）にネジ型接続部分（４）を設け、載置部分（２）をゴムで構成し、ゴムの部分には目盛を付け着色した、載置部分（２）を支柱部分（１）のねじ型接続部分（４）に接着出来るようにし、地面に刺すときは、接点（５）まで刺して使用するゴルフ用テイーである。【選択図】図２
2007252855.tif 000002
【特許請求の範囲】
【請求項１】
テイーの支柱部分（１）に、ねじ型の接続部分（４）を設け、目盛を付け着色したゴムの載置部分（２）を、支柱部分のねじ型の接続部分（４）に接着して使用する、ゴルフ用テイー。
【発明の詳細な説明】
【技術分野】
【０００１】この発明は、テイーの支柱部分（１）に、ねじ型の接続部分を設け、載置部分（２）にはゴムを利用して、そのゴムに目盛（３）を付け着色した載置部分（２）をテイーの支柱部分（１）のねじ型の接続部分（４）に接着して使用するゴルフ用テイーである。
【背景技術】
【０００２】  従来、木製・プラステック製のテイーがあった。また、支柱部分が折れるようになった物や載置部分がブラシになっている商品があった。
【発明の開示】
【発明が解決しようとする課題】
【０００３】従来のテイーは折れたり、割れたり、遠くに飛んだりして、ゴルフ場環境を汚してきた、又、高さについての表示が無いため、目検討や感だけで刺してきた。
本発明はこれらの欠点を解決する為になされたものである。
【課題を解決するための手段】
【０００４】テイーの支柱部分（１）に、ねじ型の接続部分（４）を設け、載置部分（２）には、目盛を付け着色したゴムを利用した、ねじ型の接続部分（４）を設けたので、支柱部分（１）と載置部分（２）を接着できて、接着した部分が外から見えないようになっている。（実願登録３１１２９８２号を一部改良）
ゴムの素材の元に戻る弾性体とソフト感・柔軟性があるので折れたり、割れたりすることがなく、遠くに飛ぶことも少なくなり、目盛を付け着色した事によって、テイー高さも気にしないで、接点（５）まで安心して地面にさせて、スイングできるようになる。
本発明は以上のような構成よりなるゴルフ用テイーである。
実願登録３１１２９８２
【発明の効果】
【０００５】  テイーの載置部分にゴムを利用した事で、ゴムの素材の元に戻る弾性体とソフト感で、折れたり、割れたりすることはなく、ボールを打った時にクラブヘッドに与える損傷度も少なく、前に飛ぶ回数も減ってきて、抵抗も少なくなって飛距離も出ている。
【発明を実施するための最良の形態】
【０００６】  以下、本発明の実施の形態を説明する。
まず、支柱部分にプラステックなどを使用し、テイーの支柱部分（１）を儲け、ボールを乗せる載置部分（２）には、ゴムを利用し、ゴムの部分にはテイーの高さを表す目盛を１ｃｍ〜０．５ｃｍ単位に付け、着色したので、いつも安定した高さを保ってスイングすることが出来る、テイーが前に飛んだ時など、テイーグランドの周辺のラフや地面の色と異なるため、探しやすくなった。
本発明は以上のような構造で、これを使用するときは、接点（５）まで、安心して地面に刺す事ができる。
【図面の簡単な説明】
【０００７】
【図１】  本発明の斜視図である。
【図２】  図１の断面図である。
【符号の説明】
【０００８】  １  支柱部分
２  載置部分
３  目盛
４  ねじ型接続部
５  接点
【図１】
2007252855.tif 000003
【図２】
2007252855.tif 000004
(57)【要約】【課題】    本発明は、マスク上部と顔面の隙間を塞ぎ、さらに、マスク本体の上層部を多層構造化することで、マスク着用時に発生する上方への息漏れを防ぎ、ひいてはメガネの曇りを防ぐ、簡易マスクを提供するものである。【解決手段】  本発明は、マスク本体１の内面上端部に隙間塞ぎ材２を設け、さらに該上端部に多層化構造材３を併設する。【選択図】図１
2007252854.tif 000002
【特許請求の範囲】
【請求項１】
マスク上部と顔面の凹凸との隙間を塞ぐ形状に加工を施した、隙間塞ぎ材を、マスク上部の形状に合わせて加工を施した、多層化構造材と一体で成形し、隙間塞ぎ部分を内側に折り返して着用する形態で、マスク本体の内面上端部に設けた、メガネの曇りを防ぐ簡易マスク。
【請求項２】
マスク上部と顔面の凹凸との隙間を塞ぐ形状に加工を施した、隙間塞ぎ材を、マスク本体と一体成型で設け、隙間塞ぎ部分を内側に折り返して着用する、請求項１のメガネの曇りを防ぐ簡易マスク。
【請求項３】
マスク上部と顔面の凹凸との隙間を塞ぐ形状に加工を施した、シート状または立体形状の隙間塞ぎ材を、マスク本体の内面上端部に設けた、請求項１のメガネの曇りを防ぐ簡易型マスク。
【請求項４】
マスク上部の形状に合わせて加工を施した、シート状の多層化構造材を、マスク本体の上端部に設けた、請求項１のメガネの曇りを防ぐ簡易マスク。
【発明の詳細な説明】
【技術分野】
【０００１】  本発明は、マスク本体の内面上端部に隙間塞ぎ材を設け、さらに、該上端部に多層化構造材を併設することで、マスク本体の上方から息を漏出させないようにし、マスクとメガネを併用しても、メガネの曇りを防ぐことができる簡易マスクに関するものである。
【背景技術】
【０００２】  従来のマスクは、顔面との密着性を高めるために、立体構造に成型したり、上部に設けた芯金を鼻の形に合うように折り曲げて使用したが、マスク本体上方の隙間から息を漏出させないほどの密着性が得られなかった。さらに、呼吸を容易にするマスク本体の構造からも、メガネの曇りを防ぐことができなかった。
【発明の開示】
【発明が解決しようとする課題】
【０００３】  したがって、本発明は、このようなマスクと、メガネを併用した場合に起きる問題点に鑑みてなされたもので、マスク本体と顔面との隙間やマスク本体からの息が上方に漏出しないようにすることで、前述の問題点を解消しようとするものである。
【課題を解決するための手段】
【０００４】  本発明は、マスク本体の内面上端部に、マスク上部と顔面の凹凸との隙間を塞ぐ形態で息漏れ防止用の隙間塞ぎ材を設け、これが息を上方へ漏出させない役目を担う。さらに、上層部を多層にするための多層化構造材を設けることで、マスク本体からの息の漏出も防ぎ、結果的にメガネの曇りを防止し、前述の問題点を解決することができる。
【発明の効果】
【０００５】  前述のように、マスク本体の内面上端部に息漏れ防止用の部材を設けることで、吐いた息はマスク全体から分散して排出されるので、メガネを曇らせることなく、また、呼吸に支障をきたすこともない。さらに、外気に含まれる花粉などの吸引も防ぐことができる。
【発明を実施するための最良の形態】
【０００６】  本発明の目的を達成するために、メガネの曇りを防ぐ簡易マスクの実施の形態を、添付した図面を参照して説明する。
【実施例１】
【０００７】  図１に示すように、マスク本体１の内面上端部に、マスク上部と顔面の凹凸との隙間を塞ぐ形状に加工を施した、シート状または立体形状の隙間塞ぎ材２を設け、さらに、シート状の多層化構造材３を併設することで、マスク本体と顔面との隙間、また、マスク本体から上方への息の漏出を防ぐ。
【産業上の利用可能性】
【０００８】  従来は、カゼの予防および症状の緩和を目的にマスクを着用したが、近年は花粉症対策に伴う平時の着用を余儀なくされるため、メガネ使用者においては、メガネの曇りによる遮視界に悩まされている。そこで本発明は、マスクとメガネの併用によって発生するメガネの曇りを防ぎ、視界の改善をはかるものである。
【図面の簡単な説明】
【０００９】
【図１】本発明の内面正面図。
【図２】本発明の使用側面透視図。
【符号の説明】
【００１０】  １  マスク本体
２  隙間塞ぎ材
３  多層化構造材
４  耳掛けひも
【図１】
2007252854.tif 000003
【図２】
2007252854.tif 000004
(57)【要約】【課題】ゴルファー各自、手の大きさが違うので製品にあってはサイズを少なく製造、使用中には、手袋が伸び大きくなったものを、その都度手にフイットできる手段を備えたスホーツ手袋を提供する。【解決手段】手に挿着するための開口部を綴じる機能とは別に、手袋の甲部分に円周形に引っかけ環９を設け、ロープ状の締付け具１０で手にフイットするように、アジャストして、最終取っ手１１を手首部締付けベルト８上部に設けた、面ファスナー１２で固定するようにした。【選択図】図１
2007252860.tif 000002
【特許請求の範囲】
【請求項１】
手袋の甲部分１に、手にフイットさせるための  アジャスター（締付け）機能９を付けた、ゴルフ用手袋。
【発明の詳細な説明】
【発明の詳細な説明】
【技術分野】
【０００１】この発明は、手袋の甲部分に、アジャスター機能を付けたゴルフ用手袋に関するものである。
【背景技術】
【０００２】手に挿着が容易にするための、開口部を綴じる目的の締付け機能があった。
【発明が解決しようとする課題】
【０００３】これは、次のような欠点があった。
（イ）手の大きさが各自違うので、何種類ものサイズの手袋が必要だった。
（ロ）少し使用すると手袋が伸びて大きくなり、手に合わなくなった。
本発明は、これらの欠点をなくすためになされたものである。
【課題を解決するための手段】
【０００４】手袋の甲部分１に手首部２親指３人差指４中指５薬指６小指７手首部締付けベルト８の、円周形に引っかけ環９を設ける。その環にロープ状の締付け具１０を灯通し、最終取っ手１１を手首部締付けベルト８の上部に設けた面ファスナー１２で固定する。
本発明は、以上のような構成よりなるゴルフ用手袋である。
【発明を実施するための最良の形態】
【０００５】以下、本案の実施の形態について説明する。
（イ）手袋の甲部分１に引っかけ環９を設ける。
（ロ）その環９にロープ状の締付け具１０を通す。
（ハ）最終取っ手１１を手首部締付けベルト８の上部に設けた面ファスナー１２で、固定する。
本案を使用する時は、手袋を手に挿着、手首部締付けベルト８で固定し、次にロープ状の締付け具１０で適当に絞り、手にフイットさせて、最終取っ手１１を面ファスナー１２上で固定する。
【発明の効果】
【０００６】本発明は以上のような構造で甲部分のロープ状の締付け具１０で絞って、手にフイットさせる方式であり、長期使用で手袋が伸びても、その都度調整できる又、製造する時にはサイズのアジャストが出来るので少ないサイズですむ。
尚、ロープ状の締付け具１０は弾性の物でもよい。引っかけ環９はフック構造、又は、連続したトンネル状態でもよい。
【図面の簡単な説明】
【図１】本発明の斜視図である。
【図２】本発明の拡大部分図である。
【符合の説明】
１は手袋の甲部分  ２は手首部  ３は親指  ４は人差指  ５は中指  ６は薬指  ７は小指  ８は手首部締付けベルト  ９は引っかけ環  １０はロープ状の締付け具  １１は最終取っ手  １２は面ファスナー
【図１】
2007252860.tif 000003
【図２】
2007252860.tif 000004
(57)【要約】      （修正有）【課題】故人の遺品の形見分けをミニチュア化することにより多勢の人に思い出を分けることができるようにすること。【解決手段】故人のゆかりの品、例えば和服や洋服を何分割かしてミニチュアを作り、透明ケースに入れて形見分とする。【選択図】図１
2007252865.tif 000002
【特許請求の範囲】
【請求項１】
亡くなったときゆかりの和服等を形見分けする慣習があるが、記念の和服などを何分割かしてミニチュアをつくりより多くの関係者に元のデザイン等を変えずに何分の一かの大きさのミニチュアにした品を形見分けする方法。
【請求項２】
前記の方法で和服や洋服をミニチュアにして透明ケースに入れ見栄えを良くし記念の品を何口も製作して大勢の知人友人に送ることが出来るようにする方法。
【請求項３】
前記の方法で透明化粧ケースにではなく化粧箱などに入れ文章や座右の銘、製作した文学など故人ゆかりの物を一緒に配布する方法。
【発明の詳細な説明】
【技術分野】
【０００１】  この発明は、通常形見分けにされる和服などをミニチュア化して化粧箱や透明ケースなどにいれ思い出での品「形見分け」にする。
【背景技術】
【０００２】  普通形見分けは亡くなった故人の持っていた和服、洋服などを目下の人や親族、子弟などに思い出の品として配るわけだが本当の思い出の品の数は少なくもらうほうは思い出のない品をもらうことが多く、形見分けゆえ処分も出来なく又保存する場所も無くその処置に困っている。
【発明の開示】
【発明が解決しようとする課題】
【０００３】  形見分けの和服などをもらっても趣味の違いや思い出の無い品では保存する場所や方法が無く、またもらった手前すぐに処分も出来なくその対応に困っている。この方法を取り入れることにより質量が小さくなり又飾ったり出来るため保管する場所や方法に悩まなくてすむ。
【課題を解決するための手段】
【０００４】  以上の課題を解決するために、対象の遺品をミニチュアにして保存や装飾がしやすいように化粧箱や透明ケースに入れる。
【発明の効果】
【０００５】  この発明により昔からの伝統である形見分けが、たとえば昔入学式に母親が着て手を引かれていった和服や、結婚式のとき両親が着ていた和服など思い出の品を複数人（兄弟等）に分けることが出来るし、もらった後でも保管しやすく又飾っておくこともできるので形見分け以外にも使うことが出来る。
【発明を実施するための最良の形態】
【０００６】  この発明の実施形態を、図面の図−１、図−２に示す。図のように思い出の品をいくつにも分けて同じデザインのものを作り、小さくしてケースや箱に入れることにより、親族がその品で思い出を持ち帰り故人をしのぶともに、保管するときのスペースが少なくて済み保管方法にも困ることが無くなる。【０００７】「実施形態の効果」
配布するときも小さくなり化粧箱やケースに入っているので、実際配布する時運搬や取り扱いが簡単に出来、いただいた方でも扱いが簡単で飾ったり記念に保存したり出来扱いやすい。
【図面の簡単な説明】
【０００９】
【図１】この発明で箱に入れた図である。
【図２】この発明で透明ケースに入れた図である。
【図１】
2007252865.tif 000003
【図２】
2007252865.tif 000004
(57)【要約】      （修正有）【課題】介護時のシーツはその中心部が汚れる割合が多いのだがいつも一枚丸ごと洗濯しなければならず、家庭用洗濯機ではシーツ一枚だけで洗濯することで洗濯回数や、水や洗剤の使用量が多くなるのが実情である。【解決手段】３分割して平面ファスナー等で再度一枚状につなげて使用することにより、毎日の洗濯は汚れの多い中央部をすればよく汚れの少ない部分の洗濯回数が減り介護にかかわる時間や洗濯するとき使用する水、洗剤の量が少なくなると同時に環境汚染が少なくなる。又状況に応じて汚れやすい部分を防水布や水分吸収布にすることによりシーツに重ねる必要がなくなり介護用寝具の扱いが楽になる。【選択図】図１
2007252864.tif 000002
【特許請求の範囲】
【請求項１】
介護をする時に被介護者に使用するシーツを３分割して接ぎ合わせて、一枚のシーツの大きさにした。接ぎ（はぎ）合わせ部分はマジックテープ等を使用して取り外しが簡単にできるようにし、使用時にずれないようにした。また３枚に分割した布は必要に応じて各部を防水布や水分吸収布に取り替えて使用することが出来る。
【発明の詳細な説明】
【技術分野】
【０００１】  この発明は、シーツを３分割してそれをマジックテープ等でつなぎ合わせて介護時等に使用するようにした発明である。
【背景技術】
【０００２】  介護時にシーツを使用する時汚れる割合が一番多いのは被介護人の腰（尻）の部分であるが洗濯する時にはシーツ一枚全部をしなければならない。シーツはかさばるので家庭用洗濯機では一回にシーツ一枚しか洗濯できない。この方法だと一回のシーツの洗濯量は三分の一になるのでシーツがかさばらず他の洗濯物がいっしょに出来るようになる。
【発明の開示】
【発明が解決しようとする課題】
【０００３】  シーツを３分割してマジックテープ等で接合して１枚状にして使用することにより、３分割した一部が汚れた場合にはその部分だけ洗濯でき、被介護人のその他の洗濯物も一緒に家庭用洗濯機で洗濯できる。
【課題を解決するための手段】
【０００４】  シーツを３分割して必要な箇所にマジックテープ等を取り付け３枚をつなげて一枚状にした時、離れたりまくれたりしないようにした。
【発明の効果】
【０００５】  この発明により介護時にシーツの取り扱いが楽になり、家庭用洗濯機での洗濯回数が減り、介護に携わる時間が短縮できると同時に使用する水や洗剤の量が少なくて済み自然環境汚染が少なくなる。
【発明を実施するための最良の形態】
【０００６】  この発明の実施形態を、図１、図２に示す。図１のように３分割したシーツのつなぎ合わせる部分にマジックテープ等を取付け、つなぎ合わせて一枚状で使用できるようにする。【０００７】「実施形態の効果」
シーツの洗濯量が少なくなるので他の洗濯物を一緒に洗濯でき、洗濯回数や時間が短縮できる自然環境汚染を少なくすると同時に、真ん中の布を防水布や水分吸収布に替えればシーツに防水布や水分吸収布を別途重ねる必要がなくなる。
【図面の簡単な説明】
【０００９】
【図１】この発明を平面から見た図である。
【図２】この発明を断面から見た図である。
【図１】
2007252864.tif 000003
【図２】
2007252864.tif 000004
(57)【要約】【課題】引き出し装置のハンドルとラッチを一体構造としても引き出しを収納する時に引き出しハンドルを動かさずに収納出来る仮施錠機構を簡単な構造で可能とする。【解決手段】本発明は、引き出しを収納する時に引き出しハンドルのラッチと係合するピンが退避する事で、ラッチと一体構造の引き出しハンドルにしても引き出しハンドルを動かす事無く引き出しを収納することが出来ることを簡単な構造で可能とした。【選択図】図５
2007252868.tif 000002
【特許請求の範囲】
【請求項１】
ベアリングスライドレールを用いた家具やキャビネット等の引き出しが振動や傾斜によって不意に飛び出さない様に仮施錠する為のラッチを引き出しハンドルと一体としても引き出しを収納する時にラッチと係合するピンが退避して引き出しハンドルが上下に動かず引き出しハンドルも簡素化出来、簡単な構造で安価に製作出来る引き出し仮施錠用可動ピン。
【発明の詳細な説明】
【技術分野】
【０００１】  本発明は、キャビネットや家具等に適用が可能な引き出し装置に関するものである。
【背景技術】
【０００２】  ベアリングスライドレールを用いた引き出しは振動や傾斜で不意に開き転倒する危険を防止する為にラッチと係止ピンを用いた仮施錠装置を取り付けられた物が多い。【０００３】  しかし、ラッチとハンドルを一体構造にすると引き出しの収納時にラッチの突起部が固定ピンを乗り越える時の動きが引き出しハンドルに伝わりハンドルが動いてしまうという欠点がある。【０００４】  この改善策として、従来はハンドルとラッチを別部材としてラッチの動きがハンドルに伝わらない様な構造としていた。しかしながらこの方法にすると引き出しハンドルが複雑な構造となり部品点数が増えて製造コストが高くなってしまう。
【特許文献１】特開平１０−２１５９６０
【特許文献２】特開平９−２５２８６１
【発明の開示】
【発明が解決しようとする課題】
【０００５】  解決しようとする問題点は、引き出しハンドルとラッチを一体構造にすると引き出しを収納する時に引き出しハンドルが動いてしまう点である。
【課題を解決するための手段】
【０００６】  本発明は、引き出しを収納する時に引き出しハンドルのラッチと係合するピンが退避する事で、ラッチと一体構造のハンドルとしても引き出しハンドルを動かす事無く引き出しを収納することが出来ることを最も主要な特徴とする。
【発明の効果】
【０００７】  本発明の仮施錠用可動ピンは、簡単な構造で安価に製造でき、引き出しハンドルとラッチを一体構造としても引き出しハンドルを動かす事無く引き出しを収納することが可能となり、引き出しハンドルもラッチと一体で簡単な構造にすることが出来るので、総合的に引き出しの仮施錠装置の部品点数が少なくなり、仮施錠装置の製造コストを削減出来るので生産性が向上するという利点がある。
【発明を実施するための最良の形態】
【０００８】  引き出しハンドルのラッチと係合する仮施錠用ピンにバネ性を持たせる事により可動型として、引き出しを収納する時のラッチの突起からバネの弾性により退避させる事で、引き出しハンドルとラッチを一体構造にしてもハンドルを動かさなくても引き出しを収納可能にする事を簡単な構造で実現した。
【実施例１】
【０００９】  図１は、本発明装置の実施例で引き出しを収納して引き出しハンドルのラッチが仮施錠用可動ピンと係合して引き出しが係止されている状態を示した物である。【００１０】  図２は、引き出しハンドルを引いて、引き出している所を示したもので引き出しハンドルのラッチが仮施錠用可動ピンから離脱して引き出されている状態を示している。【００１１】  図３は、引き出しを収納中に引き出しハンドルのラッチの突起部が仮施錠用可動ピンを持ち上げながら引き出しが押し込まれている所を示した物である。【００１２】  図４は、本発明の上面図で引き出しが収納され引き出しハンドルのラッチが仮施錠用可動ピンと係合して引き出しが係止されている状態を示した物である。【００１３】  図５は、本発明の立体図で本発明の部品点数の少なさと組み立ての簡単さを明確に示した物で、仮施錠装置の製造コストを大幅に削減出来ることで生産性の向上に大いに役立つ。
【産業上の利用可能性】
【００１４】  引き出し装置の仮施錠機構を部品点数が少なく組み立てが簡単で安価に製作出来るので、従来コストの面で取付け出来なかった安価で販売されている引き出し装置の付いたキャビネットや家具等に取り付ける用途にも適用できる。
【図面の簡単な説明】
【００１５】
【図１】本発明装置の実施例で引き出しが収納状態を示した側面図である。
【図２】本発明装置の実施例で引き出しを引き出している所を示した側面図である。
【図３】本発明装置の実施例で引き出しを押し込んでいる所を示した側面図である。
【図４】本発明装置の実施例で引き出しが収納状態を示した上面図である。
【図５】本発明装置の実施例で引き出しが収納状態を示した立体図である。
【符号の説明】
【００１６】１  仮施錠用可動ピン
２  取り付けボルト
３  引き出し
４  引き出しハンドル
５  ラッチ
６  スライドレール
７  キャビネット本体
【図１】
2007252868.tif 000003
【図２】
2007252868.tif 000004
【図３】
2007252868.tif 000005
【図４】
2007252868.tif 000006
【図５】
2007252868.tif 000007
(57)【要約】【課題】ほうきにゴムスポンジを設けたほうきを提供する【解決手段】ほうきのほうき台座にゴムスポンジを設けたことを特徴とするほうきである【選択図】図１
2007252866.tif 000002
【特許請求の範囲】
【請求項１】
ほうきのほうき台座にゴムスポンジを設けた事を特徴とするほうきである
【発明の詳細な説明】
【技術分野】
【０００１】本発明はほうき台座にゴムスポンジを設けたほうきである
【背景技術】
【０００２】従来、ほうきで床を掃除する際に細かいほこりがのこる為何回も同じ所を集塵していた
【発明の開示】
【発明が解決しようとする課題】
【０００３】イ）細かいはこりが舞う
ロ）細かいほこりが取れない為何回も集塵するので効率が悪い
ハ）何回も集塵するのでほうきの寿命が短くなる
【課題を解決するための手段】
【０００４】ほうきのほうき台座にゴムスポンジを設けた事を特徴とするほうきである
【発明の効果】
【０００５】細かいほこりが舞わずに効率よく集塵ができる又ほうきの寿命も長い
【発明を実施するための最良の形態】
【０００６】イ）ほうき台座３の側面に穂４より多少長いゴムスポンジ５を設ける
ロ）本発明は以上のような構成で使用する時は棒１をにぎり穂４を前にして床を掃除する際に穂４では集塵出来なかった細かいほこりをゴムスポンジ５で集麈できる
【図面の簡単な説明】
【０００７】
【図１】本発明の斜視図である
【図２】本発明の側面図である
【符号の説明】
【０００８】１  棒
２  取り付け金具
３  ほうき台座
４  穂
５  ゴムスポンジ
【図１】
2007252866.tif 000003
【図２】
2007252866.tif 000004
(57)【要約】【課題】局部噴射により入浴者の皮膚に刺激を与えマッサージ効果を与える浴槽装置において、局部噴射孔が入浴者の体の表面で塞がれ入浴者が不快感を感じる恐れが少ない浴槽装置を提供し、而も、局部噴射孔の周縁の清掃が容易で水切れの良い浴槽装置を提供することをその課題とするものである。【解決手段】浴槽１側壁８に浴槽１内に湯或いは水を噴射する局部噴射孔６を開口せしめ入浴中に局部噴射孔６からの噴流により皮膚を刺激する浴槽装置において、浴槽１側壁８内面に凹部５を形成し、該凹部５は上下方向に下方へ至るに従って深く広く形成された細長凹部５であると共に細長凹部５の下面を浴槽１内方向へ傾斜する傾斜下面７とし、該傾斜下面７基部に浴槽１内に湯或いは水を噴射する局部噴射孔６を開口せしめてなる浴槽装置である。【選択図】図２
2007252701.tif 000002
【特許請求の範囲】
【請求項１】
浴槽側壁に浴槽内に湯或いは水を噴射する局部噴射孔を開口せしめ入浴中に局部噴射孔からの噴流により皮膚を刺激する浴槽装置において、浴槽側壁内面に凹部を形成し、該凹部は上下方向に下方へ至るに従って深く広く形成された細長凹部であると共に細長凹部の下面を浴槽内方向へ傾斜する傾斜下面とし、該傾斜下面基部に浴槽内に湯或いは水を噴射する局部噴射孔を開口せしめてなる浴槽装置。
【発明の詳細な説明】
【技術分野】
【０００１】
本発明は、入浴中に湯或いは水の局所噴流により皮膚に刺激を与える浴槽装置に関するものである。さらに詳しくは、浴槽側壁内面に凹部を形成し、該凹部は上下方向に下方へ至るに従って深く広く形成された細長凹部であると共に細長凹部の下面を浴槽内方向へ傾斜する傾斜下面とし、該傾斜下面基部に浴槽内に湯或いは水を噴射する局部噴射孔を開口せしめてなる浴槽装置に関するものである。
【背景技術】
【０００２】
従来から入浴中に湯或いは水の局所噴流により皮膚に刺激を与える浴槽装置は知られている。例えば、特許文献１に示される浴槽装置である。この従来の浴槽装置は湯或いは水を噴射する局部噴射孔が浴槽側壁内面に露出して形成されたものであるために、入浴者に不快感を与える場合があった。
【０００３】
即ち、局部噴射孔が浴槽側壁内面に露出して形成されているために、入浴者が体の表面で局部噴射孔を塞いでしまうことが生じ、局部噴射孔からの湯或いは水を直接に継続して同じ箇所に受けることになり、局部噴射孔からの湯或いは水は浴湯温度より高く或いは低く設定されているために入浴者に不快感を与える場合があるのである。
【特許文献１】特開２０００−１２６０５７号公報（要約、図１）
【発明の開示】
【発明が解決しようとする課題】
【０００４】
本発明は、局部噴射孔が入浴者の体の表面で塞がれ入浴者が不快感を感じる恐れが少ない浴槽装置を提供し、而も、局部噴射孔の周縁の清掃が容易で水切れの良い浴槽装置を提供せんとするものである。
【課題を解決するための手段】
【０００５】
上記課題を解決するために、本発明に係る浴槽装置は、請求項１に記載した如く、浴槽側壁に浴槽内に湯或いは水を噴射する局部噴射孔を開口せしめ入浴中に局部噴射孔からの噴流により皮膚を刺激する浴槽装置において、浴槽側壁内面に凹部を形成し、該凹部は上下方向に下方へ至るに従って深く広く形成された細長凹部であると共に細長凹部の下面を浴槽内方向へ傾斜する傾斜下面とし、該傾斜下面基部に浴槽内に湯或いは水を噴射する局部噴射孔を開口せしめてなるものである。
【発明の効果】
【０００６】
請求項１に記載の浴槽装置は、浴槽側壁内面に凹部を形成し、該凹部は上下方向に下方へ至るに従って深く広く形成された細長凹部であると共に細長凹部の下面を浴槽内方向へ傾斜する傾斜下面とし、該傾斜下面基部に浴槽内に湯或いは水を噴射する局部噴射孔を開口せしめてなるために、人体の表面が直接に局部噴射孔を塞ぐ恐れがないものである。
【０００７】
即ち、上下方向に下方へ至るに従って深く形成された細長凹部は上下方向に細長いために全体が人体表面で塞がれるおそれが少ないもので、このことは人体表面が浴湯に触れている状態で局部噴射孔からの噴流を受けることになり、不快感を感じさせないものである。
【０００８】
更に局部噴射孔が細長凹部内の傾斜下面基部に開口せしめているために人体の表面で直接に局部噴射孔を塞ぐ恐れが少ないものである。又、浴槽は汚れ易いものであるが、細長凹部は上下方向に下方へ至るに従って深く広く形成され下面を浴槽内方向へ傾斜する傾斜下面としてなるために、浴水が溜まらず清掃が容易に行えるものである。
【発明を実施するための最良の形態】
【０００９】
以下、本発明の実施形態について図面を参照して、詳細に説明する。図１は本発明の実施例の正面図、図２は図１に示す実施例の要部断面図、図３は図１に示す実施例の断面側面図である。図１、図２、及び図３において、１は浴槽、２は給湯管、３は吸水管、４は噴射管である。
【００１０】
吸水管３は浴槽１内の低温化した浴湯を給湯機（図示せず）で加熱し、給湯管２により浴槽１内に供給するものである。噴射管４は図２に示すように細長凹部５内に噴射孔６を設けている。細長凹部５は図２、図３に示す如く、浴槽１の側壁８内面に形成されるもので、上下方向に下方へ至るに従って深く広く形成されたものであり、底面を浴槽１内方向へ傾斜する傾斜下面７としており、噴射孔６は細長凹部５内の傾斜下面７基部に開口している。
【００１１】
この浴槽装置は浴槽１内に浴湯を張り、通常の浴場として使用できると共に入浴中に入浴者の皮膚に刺激を与えマッサージ効果を与えることができるものである。即ち、細長凹部５内の傾斜下面７基部に開口している噴射管４の噴射孔６より湯或いは水を噴射すれば入浴者の皮膚に湯あるいは水が当たり刺激を与えることになる。この場合、噴射する湯は浴湯より少し温度が高い４５度程度であり、噴射する水は２５度程度である。
【００１２】
しかしながら、噴射孔６より噴射する湯温が４５度程度であっても入浴者の皮膚に当たる状態によっては熱く、不快に感じる場合がある。例えば、噴射管４の噴射孔６に入浴者の皮膚が直接に接し噴射孔６を塞いだ状態の場合、噴射孔６から噴射される湯は直接に入浴者の皮膚に連続して当たることになって、熱く、不快に感じる。
【００１３】
この浴槽装置では、噴射管４の噴射孔６が細長凹部５内の傾斜下面７基部に開口しているために、入浴者の皮膚は細長凹部５内に入る恐れが少なく、噴射孔６に入浴者の皮膚が直接に接し噴射孔６を塞ぐ恐れが少ないものである。又、この浴槽装置は浴槽１の側壁８内面に形成された細長凹部５が上下方向に下方へ至るに従って深く広く形成され底面を浴槽１内方向へ傾斜する傾斜下面７としているために細長凹部５内に浴湯が残ったり、溜まったりする恐れがないものであり、清掃も容易なものである。
【図面の簡単な説明】
【００１４】
【図１】本発明にかかる浴槽装置の実施例の正面図。
【図２】図１に示す実施例の要部断面図。
【図３】図１に示す実施例の断面側面図。
【符号の説明】
【００１５】
１        浴槽
２        給湯管
３        吸水管
４        噴射管
５        細長凹部
６        噴射孔
７        傾斜下面
８        側壁
【図１】
2007252701.tif 000003
【図２】
2007252701.tif 000004
【図３】
2007252701.tif 000005
(57)【要約】      （修正有）【課題】人間が介在する、個人情報の保管、伝達システムにおいて、介在する人間が当該情報を目視できないことを目的とした情報保護システムの提供。【解決手段】個人情報保護の観点から人間が介在する、個人情報の保管、伝達システムにおいて、介在する人間が当該情報を目視する機会が存在するため、故意又は不注意により個人情報が漏洩しないよう介在する人間が当該情報を目視できる機会を無くすることにより個人情報を保護することを特徴とした情報保護システム。【選択図】  図１
2007079879.tif 000002
【特許請求の範囲】
【請求項１】
人間が介在する、個人情報の保管、伝達システムにおいて、介在する人間が当該情報を目視できないことを特徴とした情報保護システム。
【請求項２】
前記情報保護システムの情報記録媒体に、人間に不可視の各種バーコード等を用いることを特徴とした請求項１記載の情報保護システム。
【請求項３】
請求項２記載の各種バーコード等の印字に人間に不可視のインクを用い、介在する人間が当該情報を目視できないことを特徴とした請求項１記載の情報保護システム。
【請求項４】
請求項２記載の人間に不可視の各種バーコード等の読み取りに、人間に不可視の紫外線光や赤外線光照射し、請求項３記載のインク中の顔料を励起させ照射した光と異なる人間に不可視の波長を発光させ、その波長を感知するカメラなど光学センサーを用いることを特徴とした情報保護システム。
【請求項５】
請求項４記載のシステムにおいて、照射光と、カメラ等光学センサーの感知する光の波長が重複しないよう必要波長のみを透過する光学フィルターを光源側及びカメラ等光学センサー側に設置する事を特徴とした情報保護システム。
【発明の詳細な説明】
【技術分野】
【０００１】
本発明は、人間が介在する、個人情報の保管、伝達システムにおいて、介在する人間が当該情報を目視できないことを目的とした情報保護システムに関する。
【背景技術】
【０００２】
従来、個人情報の保管、伝達システムには人間が介在し、その情報を各種データーベースに記録し保管したり、また直には認識できないバーコードなどを読み取るシステムなどが知られており、又実際に使用されている。
【発明の開示】
【発明が解決しようとする課題】
【０００３】
しかし、上記のこれらのシステムは介在する人間が、情報を目視でき、または、バーコード化しても解読しようと思えば、簡単に解読することができた。
【０００４】
また、近年個人情報保護に関する法律が整備され、安易に個人情報を人間の目にさらすことは法律的にも問題視されつつある。
【課題を解決するための手段】
【０００５】
この問題の解決策として、従来使用していた可視印字に変えて不可視のインクを使用した、しかもバーコード化した発光印字も不可視に変えることにより問題の解決をはかる。
【０００６】
印字を不可視インクに変えることにより、情報の印字から読み取りまでの間、介在した人間が、印字された情報を目視することが出来なくなる。
【０００７】
人間に不可視の各種バーコードの読み取りには、人間に不可視の紫外線光や赤外線光を照射し、人間に不可視のインク中の顔料を励起させ照射した光と異なる人間に不可視の波長を発光させ、その波長を感知するカメラを用いる。
【０００８】
上記のシステムにおいて、照射光と、カメラの感知する光の波長が重複しないよう必要波長のみを透過する光学フィルターを光源側及びカメラ側に設置することにより、照射光の波長が、読み取りカメラに入射しなくなるため、読み取り判別が明瞭になる。
【発明の効果】
【０００９】
従来は個人情報に対する保護がきわめて安易にされ、結果として近年の情報化社会に様々な弊害がでており、法律による保護もますます厳しくなってきています。
【００１０】
しかし、従来のシステムでは機械化やコンピュター化するにしても情報の入力の段階で介在する人間が情報を目視する機会を無にすることは不可能であった。
【００１１】
本発明により、介在する人間が情報を見る機会が無くなるため、個人情報保護の厳密性が格段に向上する。
【００１２】
また、このシステムの応用として人間が容易に目視できないため、より高度な真贋識別方法としてもシステム構築が可能である。
【発明を実施するための最良の形態】
【００１３】
例えば、銀行などで小切手や手形の情報を保存するため現在では、人間が機械に情報を読み込ませる際、当該情報を目視できる機会が存在する。
【００１４】
本発明では、必要情報が人間の目に不可視のインクを使用したバーコードで印字されており印字個所のみが介在する人間に知らされており、読み取りもカメラを介して、自動的に記録される。
【００１５】
上記により、安易に情報が漏洩する機会が極端に減少する。
【図面の簡単な説明】
【００１６】
【図１】本発明の例として、既に試作が完了した、波長３２０ｎｍを吸収励起し、波長３５０ｎｍを発光するシステムの概略図である。この例の他には様々な励起波長で、それぞれ発光波長が異なるシステムが同様に考えられる。
【符号の説明】
【００１７】
紫外線照射器
光学フィルター（主波長３２０ｎｍを透過し、主波長３５０ｎｍをカット）
主波長３２０ｎｍの紫外線光
検査対象（主波長３２０ｎｍを吸収励起し、主波長３５０ｎｍを発光するインクでバーコードを印字）
主波長３５０ｎｍのバーコード印字発光の光
光学フィルター（主波長３５０ｎｍを透過し、主波長３２０ｎｍをカット）
CCDカメラ
記録装置
【図１】
2007079879.tif 000003
(57)【要約】【目的】  メインフレームにサブフレームを誰でも簡単に取り付け取り外しができ、かつ跳ね上げ機能を持つ眼鏡において、外観に優れ、デザイン性や実用性を高めた眼鏡を提供すること。【課題】  メインフレームとサブフレームに余計な部品を取り付けず、構造が簡単で誰でも簡単に着脱や跳ね上げができる眼鏡提供。【解決手段】  メインフレームのヨロイに穴を空け、サブフレームに両端にピンを立てたバネ性素材のフロントバーを取り付け、ヨロイの穴にフロントバーのピンを差し込むことにより、ヨロイを支点に着脱、回転させ、サブフレーム自体にバネ性を持たせたことにより解決した。【選択図】    図１
2007079075.tif 000002
【特許請求の範囲】
【請求項１】
テンプルに支持されたメインフレームのヨロイ部分の外側に開けられた穴に、両端にピンを立てた、サブフレームのバネ性素材で作られたフロントバーを外側に開きながらピンを穴に差し込むことによりメインフレームとサブフレームを着脱固定することを特徴とした着脱式跳ね上げ眼鏡
【請求項２】
メインフレームのヨロイ部分の穴の周りに放射状に凹凸をつけ、サブフレームのピンの周りにも同様の凹凸をつける事により、ピンを支点に回転させサブフレームを一定角度で固定させることを特徴とした着脱式跳ね上げ眼鏡
【発明の詳細な説明】
【技術分野】
【０００１】
本発明は、日常使用している眼鏡枠に、度数や色の違う前枠を誰もが簡単に着脱でき、かつ必要に応じて跳ね上げて、実用性を高めた着脱式跳ね上げ眼鏡に関するものである。
【背景技術】
【０００２】
従来の着脱式眼鏡は、さまざまな連結部品を取り付けメインフレームとサブフレームを結合させたり磁石を使って着脱する方法が考えられてきた。
【０００３】
また、跳ね上げ眼鏡においては、バネやバネ性のある部品をフレーム上部に取り付け、メインフレームとサブフレームの上部を結合させ、そこを支点に跳ね上げる方法や、ワタリや山を支点に回転させ跳ね上げる方法が取られてきた。
【０００４】
そのため眼鏡枠全体のデザインを制限されたり部品が突出したりしてフレームの外観を損なっていた。
【０００５】
また簡単な衝撃により前枠がはずれる欠点があった。
【特許文献１】特開  平１１−２０２２６９
【特許文献２】特開  平１１−２７１６９２
【特許文献３】特開  ２００４−１８４４２７
【特許文献４】特願  ２００１−２３５５８７
【発明の開示】
【発明が解決しようとする課題】
【０００６】
解決しようとする課題は、サブフレーム２をメインフレーム１に簡単に着脱でき、装着時の外観と取りはずした時の外観に突起物のない一般的眼鏡と変わらぬ外観を保ち、また、跳ね上げに関しても余計な部品を使わず、サブフレーム２のバネ性を利用することにより、スムーズに上げ下げができ、しっかりと固定させることを課題とした。
【課題を解決するための手段】
【０００７】
本発明が、上記課題を解決するために採用した手段を添付図面を参照して説明すれば次のとおりである。
【０００８】
すなわち本発明は、図１と２で示すようにメインフレーム１のヨロイ６の外側に穴７を開け、バネ性の素材のフロントバ−３を取り付けたサブフレーム２の両端にピン４を立て、フロントバーを開いた状態でその穴７にピン４を差し込み、フロントバー３の内側に戻ろうとする力により、サブフレーム２をメインフレーム１を挟み込むように、取り付ける。
【０００９】
メインフレーム１のヨロイ６の外側に開けた穴７の周りに放射状の凹部８をつけ、サブフレーム２のフロントバー３の両端に立てたピン４の周りに凸部５を付ける。これにより跳ね上げ時の停止角度を決め、固定させた。
【００１０】
この際、メインフレーム１の左右のヨロイの間隔より、サブフレーム２のフロントバー３に立てた左右のピンの間隔を狭くすることにより、メインフレーム１にサブフレーム２がしっかり固定される。
【発明の効果】
【００１１】
本発明は、サブフレーム２に両端にピン４を立てたフロントバー３を取り付け、メインフレーム１のヨロイ部分に空けた穴７に差し込み、着脱させたり、そこを支点に跳ね上げたりすることにより、メインフレーム１やサブフレーム２に余分な部品を取り付けないため、メインフレーム１だけで眼鏡を使用しても、サブフレーム２を装着して使用した場合でも、通常フレームと変わらぬ外観を保つことができる。
【実施例】
【００１２】
図１において、メインフレーム１の左右のヨロイに外側から穴７を空ける。この際、ヨロイの位置を通常位置より高い位置に取り付けることにより跳ね上げがスムーズになる。サブフレーム２に両端にピン４を立てたバネ性素材のフロントバー３を取り付けることにより、サブフレーム自体がバネ性を持ち、フロントバー３の両端を外側に開くことが可能になり、内側へ戻ろうとするバネ性の利用が可能になった。これにより、メインフレーム１のヨロイ６の穴７に、サブフレーム２のフロントバー３のピン４を差し込むことができ、この際メインフレームの左右のヨロイの間隔よりサブフレームのフロントバーの左右のピンの間隔を多少狭くすることにより、安定感を増した。
【００１３】
本発明の変更実施例として、メインフレーム１のヨロイ６の穴７の周りとサブフレーム２のフロントバー３に立てたピン４の周りに凹凸部分を設けることにより、いろいろな角度で跳ね上げておくことができ、サブフレームのレンズ幅をメインフレーム幅より多少大きくすることにより跳ね上げやすくなった。
【図面の簡単な説明】
【００１４】
【図１】本発明実施例における眼鏡。
【図２】本発明実施例における展開図。
【符号の説明】
【００１５】
１  メインフレーム
２  サブフレーム
３  フロントバー
４  ピン
５  フロントバーの凸部
６  ヨロイ
７  ヨロイの穴
８  ヨロイの凹部
【図１】
2007079075.tif 000003
【図２】
2007079075.tif 000004